【手続補正書】
【提出日】平成27年12月14日(2015.12.14)
【手続補正１】
【補正対象書類名】特許請求の範囲
【補正対象項目名】全文
【補正方法】変更
【補正の内容】
【特許請求の範囲】
【請求項１】
回転軸を含むロータと、
第１の装着位置において前記ロータの第１の軸方向マウントに連結される第１の嵌合軸方向マウントを有する第１の回転セグメントと、
前記ロータ内の第１のスロットと前記第１の回転セグメント内の第１の嵌合スロットとの両方の中の第１の挿入位置に挿入するように構成された第１のピンであって、前記第１のスロットおよび前記第１の嵌合スロットが、前記回転軸に対して第１の円周方向に延び、前記第１の挿入位置における前記第１のピンが、前記第１の軸方向マウントに対して前記第１の嵌合軸方向マウントが軸方向に移動するのを阻止するように構成される、第１のピンと、
第２の装着位置において前記ロータの第２の軸方向マウントに連結される第２の嵌合軸方向マウントを有する第２の回転セグメントであって、前記第２の装着位置における前記第２の回転セグメントが、前記第１のピンが除去されるのを阻止するように構成される、第２の回転セグメントと
を備え、
前記第１のスロットの第１の部分が、前記第１の嵌合スロットの下方で、前記第１の嵌合スロットと半径方向で整列し、第２の部分は、前記第１の嵌合軸方向マウントが前記第１の軸方向マウントに前記第１の装着位置において連結される間に、前記第１の回転セグメントの近傍で前記ロータ内に配置される半径方向にアクセス可能な部分を有し、
該半径方向にアクセス可能な部分は、前記ロータの底面、前記第１の挿入位置における前記第１のピンの表面、前記ロータの第１乃至第３の面により規定される凹部を有し、
前記第１のピンの前記表面及び、前記ロータの前記第１乃至第３の面は、前記ロータの前記底面から半径方向外側に延び、
前記第１の装着位置における前記第１の回転セグメントと前記第２の装着位置における前記第２の回転セグメントが、前記第１のスロットの全体を共に覆う、
ターボ機械を備える、ターボ機械システム。
【請求項２】
ターボ機械ロータの回転軸周りに円周方向に離隔される複数の軸方向マウントであって、互いに円周方向オフセットに配置される第１の軸方向マウントと第２の軸方向マウントとを備え、前記第１の軸方向マウントが、第１の装着位置において第１の回転セグメントの第１の嵌合軸方向マウントに連結するように構成され、前記第２の軸方向マウントが、第２の装着位置において第２の回転セグメントの第２の嵌合軸方向マウントに連結するように構成される、複数の軸方向マウントと、
前記ターボ機械ロータの前記回転軸周りに円周方向に離隔される複数のピンスロットであって、前記第１の軸方向マウントに隣接する前記ターボ機械ロータ内に第１のピンスロットを備え、前記第１のピンスロットが前記回転軸に対して第１の円周方向に延び、前記第１のスロットの第１の部分が、前記第１の嵌合スロットの下方で、前記第１の嵌合スロットと半径方向で整列し、第２の部分は、前記第１の嵌合軸方向マウントが前記第１の軸方向マウントに前記第１の装着位置において連結され、前記第２の嵌合軸方向マウントが前記第２の装着位置に配置されていないときに、前記第１の回転セグメントの近傍で前記ロータ内に配置される半径方向にアクセス可能な部分を有し、前記第１のピンスロットが、前記第１の軸方向マウントに対して前記第１の嵌合軸方向マウントが軸方向に移動するのを阻止するために、第１の挿入位置において前記第１のピンを支持するように構成され、前記第２の装着位置における前記第２の回転セグメントが、前記第１のピンが除去されるのを阻止するように構成される、複数のピンスロットと
を備え、
前記半径方向にアクセス可能な部分は、前記ロータの底面、前記第１の挿入位置における前記第１のピンの表面、前記ロータの第１乃至第３の面により規定される凹部を有し、
前記第１のピンの前記表面及び、前記ロータの前記第１乃至第３の面は、前記ロータの前記底面から半径方向外側に延びる、
ターボ機械ロータを備える、ターボ機械システム。
【請求項３】
前記ターボ機械がガスタービンエンジンを備える、請求項１または２に記載のシステム。
【請求項４】
前記第１および前記第２の軸方向マウントがそれぞれ、陥凹軸方向スロットを備え、前記第１および前記第２の嵌合軸方向マウントがそれぞれ、隆起軸方向ジョイントを備える、請求項１乃至３のいずれかに記載のシステム。
【請求項５】
前記第１のピンが、前記第１のスロットおよび前記第１の嵌合スロットの中に、第１の半径方向に、続いて前記回転軸に対して前記第１の円周方向に挿入するように構成される、請求項１乃至４のいずれかに記載のシステム。
【請求項６】
前記第２の嵌合軸方向マウントが、前記第２の装着位置において前記第２の軸方向マウントに連結される場合に、前記第２の回転セグメントが、前記第１のスロットの前記第１の半径方向にアクセス可能な部分を覆う、請求項１乃至５のいずれかに記載のシステム。
【請求項７】
前記ロータ内の前記第１のスロットが、前記第１の軸方向マウントと前記第２の軸方向マウントとの間の円周方向オフセットの一部分だけ延びる、請求項１乃至６のいずれかに記載のシステム。
【請求項８】
前記第１および前記第２の回転セグメントが、ブレードまたは流路シールを備える、請求項１乃至７のいずれかに記載のシステム。
【請求項９】
前記ターボ機械が、
前記ロータ内の第２のスロットと前記第２の回転セグメント内の第２の嵌合スロットとの両方の中の第２の挿入位置に挿入するように構成された第２のピンであって、前記第２のスロットおよび前記第２の嵌合スロットが、前記回転軸に対して第２の円周方向に延び、前記第２の挿入位置における前記第２のピンが、前記第２の軸方向マウントに対して前記第２の嵌合軸方向マウントが軸方向に移動するのを阻止するように構成される、第２のピンと、
第３の装着位置において前記ロータの第３の軸方向マウントに連結される第３の嵌合軸方向マウントを有する第３の回転セグメントであって、前記第３の装着位置における前記第３の回転セグメントが、前記第２のピンが除去されるのを阻止するように構成される、第３の回転セグメントと
を備える、請求項１乃至８のいずれかに記載のシステム。
【請求項１０】
前記第１および前記第２の軸方向マウントがそれぞれ、蟻継ぎジョイントを備え、前記第１および前記第２の嵌合軸方向マウントがそれぞれ、嵌合蟻継ぎジョイントを備える、請求項１乃至９のいずれかに記載のシステム。
【請求項１１】
前記ターボ機械ロータ内の前記第１のピンスロットが、前記第１の軸方向マウントと前記第２の軸方向マウントとの間の円周方向オフセットの一部分だけ延びる、請求項１乃至１０のいずれかに記載のシステム。
【請求項１２】
前記第１のピンスロットが、前記第１のピンを、第１の半径方向に、続いて前記回転軸に対する前記第１の円周方向に受けるように構成される、請求項１乃至１１のいずれかに記載のシステム。
【請求項１３】
前記第１のピンと、前記第１の回転セグメントと、前記第２の回転セグメントとを備え、前記第１のピンが、前記ロータ内の前記第１のピンスロットと前記第１の回転セグメント内の第１の嵌合ピンスロットとの両方の中の前記第１の挿入位置に挿入するように構成される、請求項１乃至１２のいずれかに記載のシステム。
【請求項１４】
第１の回転セグメントの第１の嵌合軸方向マウントを、ロータの第１の軸方向マウントに軸方向に挿入するステップと、
第１のピンを、前記ロータの第１のスロットの半径方向にアクセス可能な部分に、前記ロータの回転軸に対して半径方向に挿入するステップと、
第１のピンを、前記ロータの第１のスロットと前記第１の回転セグメントの第１の嵌合スロットの中の第１の挿入位置に、前記ロータの回転軸に対して第１の円周方向に挿入するステップであって、前記第１のスロットの第１の部分が、前記第１の嵌合スロットの下方で、前記第１の嵌合スロットと半径方向で整列し、前記第１のピンが、前記第１の軸方向マウントに対して前記第１の嵌合軸方向マウントが軸方向に移動するのを阻止するように構成され、前記半径方向にアクセス可能な部分は、前記ロータの底面、前記第１の挿入位置における前記第１のピンの表面、前記ロータの第１乃至第３の面により規定される凹部を有し、前記第１のピンの前記表面及び、前記ロータの前記第１乃至第３の面は、前記ロータの前記底面から半径方向外側に延びる、ステップと、
前記第１のピンが除去されるのを阻止するために、第２の回転セグメントの第２の嵌合軸方向マウントを、前記ロータの第２の軸方向マウントに軸方向に挿入するステップと
を含む、組み立て方法。
【請求項１５】
前記第１のピンが上側部分および下側部分を有するＬ字形を含み、前記下側部分が、前記第１のピンを前記第１のスロットから除去することを可能にするように構成された穴を含み、前記上側部分がテーパエンドを含み、前記第１の嵌合スロットが、前記第１のピンの前記上側部分の前記テーパエンドを前記第１の嵌合スロットに挿入することを可能にし、前記第１のピンの前記下側部分を前記第１の嵌合スロットに挿入することを防止するように構成されたテーパ部分を有する陥凹を含む、請求項１４記載の方法。
【請求項１６】
前記第１のピンを、前記ロータの前記第１のスロットの半径方向にアクセス可能な部分に、前記ロータの前記回転軸に対して半径方向に挿入するステップと、
第２のピンを、前記ロータの第２のスロットと前記第２の回転セグメントの第２の嵌合スロットとの中の第２の挿入位置に、前記ロータの前記回転軸に対して第２の円周方向に挿入するステップと、
前記第２のピンが除去されるのを阻止するために、第３の回転セグメントの第３の嵌合軸方向マウントを、前記ロータの第３の軸方向マウントに軸方向に挿入するステップと
を含む、請求項１４または１５に記載の方法。